(57)【要約】      （修正有）【課題】重症の外反母趾の人でも容易に履き且つ脱ぐことができる靴の提供。【解決手段】底部１の母趾と第二趾の間の個所に相当する場所に突起６が立設され、突起６は母趾側が凹で第五趾側が凸となる様に湾曲しており、甲部２には分離係合手段７が設けられており、当該分離係合手段７は履き口部３のつま先側領域から甲部２のミッドソール４近傍の領域を延在しており、分離係合手段７を分離した（開いた）際に、履き口部３よりもつま先側の領域は、分離係合手段７の履き口部３とは反対側の端部を延長した領域から開き、以って中底が露出する。【選択図】図１
2017029331.tif 000002
【特許請求の範囲】
【請求項１】
底部の母趾と第二趾の間の個所に相当する場所に突起が立設され、当該突起は母趾側が凹で第五趾側が凸となる様に湾曲しており、
甲部には分離係合手段が設けられており、当該分離係合手段は履き口部のつま先側領域から甲部のミッドソール近傍の領域を延在しており、
分離係合手段を分離した際に、履き口部よりもつま先側の領域は、分離係合手段の履き口部とは反対側の端部を延長した領域から開き以って中底が露出することを特徴とする靴。
【請求項２】
前記分離係合手段は履き口部のつま先側領域の母趾側部分から甲部のミッドソール近傍の領域を介して第五趾に相当する箇所まで延在している請求項１の靴。
【請求項３】
前記分離係合手段は履き口部のつま先側領域の第五趾側部分から甲部のミッドソール近傍の領域を介して母趾に相当する箇所まで延在しており、
甲部の母趾に相当する箇所の裏側には緩衝材が配置されている請求項１の靴。
【発明の詳細な説明】
【技術分野】
【０００１】
本発明は靴に関し、より詳細には、外反母趾の人でも、楽に履くことが出来て且つ脱ぐことが出来る靴に関する。
【背景技術】
【０００２】
外反母趾の人のための靴としては、例えば、母趾（いわゆる「親指」）の基端部と第二趾（いわゆる「人差し指」）の基端部との間の個所が来る場所に立設した突起と、靴の甲部に形成された窓孔を設け、窓孔から手指を挿入して靴の母趾側内周面と前記突起との間に足の母趾を挿入し、前記突起により足の第二趾等を足の第五趾（いわゆる「小指」）側に押圧して、外反母趾の矯正を行い、外反母趾に伴う痛みを和らげる履物が提案されている（特許文献１参照）。
【０００３】
しかし、係る従来技術（特許文献１）の履物では、例えば重症の外反母趾に悩むユーザーが履く場合には、甲部の窓孔から手指を挿入しても、足の母趾と第二趾との間に前記突起を位置させるには相当な力が必要であり、そして、甲の側壁及び上面が靴内へ手指を挿入することを妨害するので前記突起と靴の内周面との間に足の母趾を挿入することが困難である。
また、外反母趾を起こした足の場合には、母趾が指先に向うに連れて第五指側に曲がっているので、前記突起と当該母趾（外反母趾を起こした足の母趾）とは一点で接触してしまう。そして、当該母趾が前記突起によって一点で押圧されるため、外反母趾に悩むユーザーが（前記突起が一点で母趾に接触する箇所に）痛みを感じるケースがある。
それに加えて、重症の外反母趾の場合には、母趾の付け根部分が反対の足側に出っ張っていることが多く、当該（出っ張っている）付け根部分が履物の甲の内側に当接して、（出っ張っている付け根部分に）痛みを感じてしまう。上述した従来技術（特許文献１）では、その様な問題には何等対処することが出来ない。
【先行技術文献】
【特許文献】
【０００４】
【特許文献１】実開平０５−０３９３０３号公報
【発明の概要】
【発明が解決しようとする課題】
【０００５】
本発明は上述した従来技術の問題点に鑑みて提案されたもので、重症の外反母趾の人でも容易に履くことが出来て且つ脱ぐことができる靴の提供を目的とする。
【課題を解決するための手段】
【０００６】
本発明の靴（１００、２００）は、底部（１、１１）の母趾と第二趾の間の個所に相当する場所に突起（６、１６）が立設され、当該突起（６、１６）は母趾側が凹で第五趾側が凸となる様に湾曲しており、
甲部（２、１２）には分離係合手段（７、１７：例えばファスナー又はジッパー）が設けられており、当該分離係合手段（７、１７）は履き口部（３、１３）のつま先側領域から甲部（２、１２）のミッドソール（４、１４）近傍の領域を延在しており、
分離係合手段（７、１７）を分離した際に（ファスナー、ジッパー等を開いた際に）、履き口部（３、１３）よりもつま先側の領域は、分離係合手段（７、１７）の履き口部（３、１３）とは反対側の端部を（靴１００、２００のかかと側に）延長した領域（７Ｂ−Ｅ、１７Ｂ−Ｅ：仮想領域：甲部２の母趾側側面或いは第五趾側側面の何れかにおける領域）から開き（或いは、前記延長した領域を中心に回動する様に開放され）、以って中底（５、１５）が露出することを特徴としている。
【０００７】
本発明において、前記分離係合手段（７）は履き口部（３）のつま先側領域の母趾側部分から甲部（２）のミッドソール（４）近傍の領域を介して第五趾に相当する箇所まで延在しているのが好ましい。
【０００８】
或いは本発明において、前記分離係合手段（１７）は履き口部（１３）のつま先側領域の第五趾側部分から甲部（１２）のミッドソール（１４）近傍の領域を介して母趾に相当する箇所まで延在しており、
甲部（１２）の母趾に相当する箇所の裏側には緩衝材（８：パッド）が配置されているのが好ましい。
【０００９】
本発明の実施に際して、靴本体部は、革製若しくは合成皮革製であってもよく、又は布製であっても良い。また、ゴム製、木製であっても良い。
また本発明の実施に際して、前記分離係合固定手段（７、１７）として、ファスナー又はジッパーが用いられているが、面ファスナーであっても良い。但し、面ファスナーは、係合力が弱い可能性があり、係合力が弱いと靴が脱げてしまうことより、靴が脱げない程度の係合力を有するものであることが望ましい。
さらに前記分離固定手段（７、１７）としては、スナップボタン、各種バンド、紐等の様に、固定及び分離が可能な可撓性の部材であれば適用可能である。
【発明の効果】
【００１０】
上述した様な構成を具備する本発明によれば、甲部（２、１２）に設けた分離係合手段（７、１７）が履き口部（３、１３）のつま先側領域から甲部（２、１２）のミッドソール（４、１４）近傍の領域を延在しており、分離係合手段（７、１７）を分離した際に、履き口部（３、１３）よりもつま先側の領域が開いて中底（５、１５）が露出するので、重症の外反母趾に悩むユーザーが履く場合であっても、中底（５、１５）が露出した状態であれば、手指により容易に足の母趾と第二趾との間に前記突起（６、１６）を位置させることが出来る。
ここで、分離係合手段（７、１７）を分離して中底（５、１５）が露出した状態となれば、甲部（２、１２）の側壁及び上面が手指と当接することが無く、手指による操作を妨害することも無い。そのため、手指に相当な力を込めて足の母趾と第二趾との間に前記突起（６、１６）を位置させることが出来るのである。
特に、前記分離係合手段（７）が履き口部（３）のつま先側領域の母趾側部分から甲部（２）のミッドソール（４）近傍の領域を介して第五趾に相当する箇所まで延在していれば、ミッドソール（４）近傍から中底（５）が露出するので、前記突起（６）は周囲に甲部（２）が存在しない状態となり、足の母趾と甲部（２）の一部が当接することなく、前記突起（６）を足の母趾と第二趾との間に介装することが出来る。そのため、前記突起（６）を足の母趾と第二趾との間に介装して靴１００を履用することにより、外反母趾の治療・予防をすることが出来る。
【００１１】
ここで本発明では、突起（６、１６）は母趾側が凹み第五趾側が出っ張っている（凸となる）様に湾曲しているので、突起（６、１６）の湾曲面と足の母趾が面接触をする。
そのため、突起（６、１６）と足の母趾とが点接触する場合に比較して、母趾が突起（６、１６）に押圧されて（ユーザーが）痛みを感じることはない。
【００１２】
さらに、本発明で甲部（１２）の母趾に相当する箇所の裏側には緩衝材（８：パッド）が配置されていれば、重症の外反母趾を患っているユーザーの足の母趾の付け根が反対の足側に出っ張っていても、当該出っ張った部分は緩衝材（８：パッド）と接触するので、痛みを感じることが防止される。
そして緩衝材（８：パッド）を設ける場合には、前記分離係合手段（１７）は履き口部（１３）のつま先側領域の第五趾側部分から甲部（１２）のミッドソール（１４）近傍の領域を介して母趾に相当する箇所まで延在しており、母趾の付け根には前記分離係合手段（１７）は設けられていない。すなわち、母趾の付け根部分では分離係合手段１７は開かず、甲部１２は分離しない。
そのため、緩衝材（８：パッド）を甲部（１２）の裏側（ユーザーの足側）に確実に配置することが出来る。換言すれば、前記分離係合手段（１７）を分離しても緩衝材（８：パッド）が脱落してしまう事態は防止される。
【図面の簡単な説明】
【００１３】
【図１】本発明の第１実施形態において分離係合手段を閉じた状態を示す正面図である。
【図２】第１実施形態において分離係合手段を分離して中底が露出した状態を示す正面図である。
【図３】図１のＡ−Ａ線矢視断面図であって、突起の立設状態を示す説明図である。
【図４】第１実施形態において、分離係合手段が分離した状態でつま先側に足の指を入れた状態を示す説明図である。
【図５】本発明の第２実施形態において分離係合手段を閉じた状態を示す正面図である。
【図６】第２実施形態において分離係合手段を分離し中底が露出した状態を示す正面図である。
【図７】第２実施形態において、分離係合手段が分離した状態でつま先側に足の指を入れた状態を示す説明図である。
【図８】本発明の第３実施形態が適用される外反母趾を説明する説明図である。
【図９】第３実施形態の要部を示す部分拡大図であって、図３と同様に突起の立設状態を示す説明図である。
【図１０】第３実施形態の変形例における要部を示す部分拡大図であって、図９と同様に突起の立設状態を示す説明図である。
【発明を実施するための形態】
【００１４】
以下、添付図面を参照して、本発明の実施形態を説明する。
最初に図１〜図４を参照して、本発明の第１実施形態について説明する。
図１において、本発明の第１実施形態に係る靴は全体が符号１００で示されている。第１実施形態では、左足用の靴のみを示しており、左側に母趾、右側に第五趾が配置される。なお、右足側の靴については、図示とは左右対称に構成されている。
【００１５】
靴１００において、甲部２には分離係合手段７（例えばファスナー又はジッパー）が設けられている。但し、分離係合手段７としては、ファスナー、ジッパーのみならず、スナップボタン、各種バンド、紐等、固定及び分離が可能な可撓性の部材であれば適用可能である。
分離係合手段７は履き口部３のつま先側領域における母趾側の部分から、甲部２のミッドソール４近傍の領域を介して、第五趾に相当する箇所まで延在している。換言すれば、分離係合手段７は、履き口部３のつま先側領域の母趾側端部近傍７Ａを始点とし、分離係合手段７の第五趾に対応する端部７Ｂを終点としている。そして分離係合手段７（ファスナー等）を開く際には、分離係合手段７の始点７Ａから終点７Ｂに向かって開く（分離する）。
図１において符号６は突起であり、図２〜図４を参照して詳述する。
【００１６】
図２は靴１００の分離係合手段７を分離して開いた状態を示している。図２においては、履き口部３よりもつま先側の領域Ｒ１（図２では点線で示す）は、分離係合手段７の履き口部３とは反対側の端部７Ｂ（終点７Ｂ）を靴１００のかかと側に延長した領域７Ｂ−Ｅから開いている。
換言すれば、甲部２の前記領域Ｒ１に相当する部分は、分離係合手段７の端部７Ｂを延長した領域７Ｂ−Ｅを回動軸として開いた状態になっている。なお、領域７Ｂ−Ｅは靴１００に明確に形成された部位ではなく、概略直線状の仮想的な領域である。
履き口部３よりもつま先側の領域Ｒ１が領域７Ｂ−Ｅから開くため、履き口部３よりつま先側の甲部２（点線の領域Ｒ１に対応）が開き、中底５が露出する。その際に甲部２は、分離係合手段７よりもミッドソール４側の僅かな部分のみミッドソール４側に残存している。
【００１７】
図３において、中底５には、中底５における母趾と第二趾の間の個所に相当する場所に、突起６が立設される。図３で示すように、突起６は中底に埋め込む様に立設されている。
突起６は、湾曲面の断面形状を有する湾曲部６Ａ（図３参照）を有し、湾曲部６Ａの上下方向長さは、足指の太さに対応して定められている。そして、突起６の湾曲部６Ａの凹側（図２で左側）は母趾側面に当接し、凸側が第二趾側面に対峙する。ユーザーが靴１００を履用する際には、足の母趾側面と突起６の湾曲部６Ａが「面」で接触する（面接触する）ので、突起６と母趾が一点で接触してしまうことはなく、ユーザーが母趾の痛みを感じることが防止される。
突起６は、外反母趾に悩むユーザーの足の母趾が曲がろうとする向きとは反対側に当該足の母趾を付勢する効果があるので、突起６を足の母趾と第二趾との間に介装して靴１００を履用することにより、外反母趾の治療・予防に有効である。
【００１８】
上述の様に、分離係合手段７は履き口部３のつま先側領域の母趾側部分から甲部２のミッドソール４近傍の領域を介して第五趾に相当する箇所まで延在しているので、分離係合手段７を分離すると（開くと）、ミッドソール４近傍から中底５が露出し、前記突起６は周囲に甲部２が存在しない状態となり、突起６も露出する。
したがって、重症の外反母趾に悩むユーザーが靴１００を履く場合であっても、中底５が露出した状態で、足の母趾と甲部２の一部が当接することなく、手指により容易に足の母趾と第二趾との間に突起６を位置させることが出来る。すなわち、突起６が露出しているので、手指に力を入れ易い状態で、足の母趾と第二趾との間に突起６を位置させることが出来る。同様に、外反母趾に悩むユーザーが靴１００を脱ぐときも、足の母趾と第二趾との間に突起６を容易に位置させることが出来る。
【００１９】
図３において、底部１は本底９、芯底１０、中底５を相互に貼り合わせて構成され、さらに中底５は、スポンジ層５Ａの上面に布層５Ｂ、下面に皮革層５Ｃを貼り合わせて構成されている。突起６は、湾曲部６Ａを甲部２の中に突出させ、下端に設けた鍔状部６Ｂを中底５の各層間に挟み止めることにより、立設、保持されている。
図３に示す様に、突起６を立設、保持した状態で、突起６の湾曲部６Ａは凹側が母趾側面（図３で左側）を向いており、凸側が第二趾側面に対峙する様に配置される。ここで図３は突起６の立設状態を説明するための図であるため、分離係合手段７の図示は省略している。
また、中底５において、突起６の左右方向位置（図３の矢印Ｂ方向）及び足指が延在する方向（図３の紙面に垂直な方向）の位置は、従来公知の手段により移動可能となっており、外反母趾の程度に応じて突起６の位置を調整することができる。
【００２０】
図４は、分離係合手段７を分離し（開き）、中底５が露出した状態で、つま先側に足の指を入れた状態を示す。足の母趾Ｘと足の第二趾Ｙは、手Ｈ（の指）により突起６を挟む様に位置している。なお、図４においても分離係合手段７の図示は省略している。
上述した通り突起６の湾曲部６Ａ（図３参照）は凹側が母趾側面に対峙して凸側が第二趾側面に対峙するので、足の母趾側面と突起６の湾曲部６Ａが「面」でフィット（面接触）する。そのため突起６と母趾が一点で接触してしまうことはなく、ユーザーが母趾の痛みを感じることが防止される。
【００２１】
図示の第１実施形態によれば、分離係合手段７が始点７Ａから終点７Ｂまで延在しているので、分離係合手段７を開いた（分離した）場合にはミッドソール４近傍から中底５を露出することが出来る。中底５が露出した状態では突起６の周囲に甲部２が存在しないので、足の母趾と甲部２の一部が当接することなく、ユーザーの手指により突起６を足の母趾と第二趾との間に介装することが出来る。
同様なことは、ユーザーが靴１００を脱ぐときも、分離係合手段７を開き（分離し）ミッドソール４近傍から中底５を露出して、ユーザーの足のつま先の周囲に甲部２が存在しない状態とせしめることが出来る。そのため外反母趾に悩むユーザーも靴１００を容易に脱ぐことが出来る。
【００２２】
また第１実施形態によれば、突起６（湾曲部６Ａ）は母趾側が凹で第五趾側が凸となる様に湾曲しているので、突起の湾曲部６Ａと足の母趾が面で接触する。そのため、突起６と足の母趾とが１点で接触してしまうことが防止され、母趾が突起６に押圧されて（ユーザーが）痛みを感じることが防止される。
さらに、突起６を足の母趾と第二趾との間に介装して靴１００を履用したときには、突起６が外反母趾に悩むユーザーの足の母趾を正常な位置側に付勢するので外反母趾の治療・予防に有効である。
【００２３】
次に、図５〜図７を参照して、本発明の第２実施形態について説明する。
図５において、本発明の第２実施形態に係る靴は全体を符号２００で示している。第１実施形態の場合と同様に、第２実施形態でも左足用の靴のみを示しており、図の左側に母趾、右側に第五趾が配置される。なお、右足側の靴については、図示とは左右対称に構成されている。
図５において、甲部１２には分離係合手段１７（例えばファスナー又はジッパー）が設けられている。第１実施形態と同様に、分離係合手段７としてはファスナー、ジッパーのみならず、スナップボタン、各種バンド、紐等、固定及び分離が可能な可撓性の部材であれば適用可能である。
【００２４】
図５において、分離係合手段１７は履き口部１３のつま先側領域の第五趾側部分から、甲部１２のミッドソール１４近傍の領域を介して、母趾に相当する箇所まで延在している。換言すれば、分離係合手段１７は、履き口部１３のつま先側領域の第五趾側端部近傍１７Ａを始点とし、甲部１２の母趾に対応する端部１７Ｂを終点としている。
分離係合手段１７（ファスナー等）を開く際には、分離係合手段１７の始点１７Ａから終点１７Ｂに向かって開く（分離する）。
なお、符号１６は突起であり、突起１６は第１実施形態の突起６と同様な構成及び作用効果を奏する。
図５において、甲部１２の母趾の付け根に相当する箇所（左側）の裏側には緩衝材８（パッド）が配置される。そして緩衝材８としては、スポンジ、発泡材等の軽量で且つ柔軟な材料が適用可能である。
【００２５】
図５の靴２００の分離係合手段１７を分離して開いた状態が図６で示されている。
図６において、履き口部１３よりもつま先側の領域Ｒ２（図６において点線で示す領域）は、分離係合手段１７の履き口部１３とは反対側の端部１７Ｂ（終点１７Ｂ）を靴２００のかかと側に延長した領域１７Ｂ−Ｅから開いている。換言すれば、領域Ｒ２は端部１７Ｂを延長した領域１７Ｂ−Ｅを回動軸とする様な態様で開いている。
履き口部１３よりもつま先側の領域Ｒ２が領域１７Ｂ−Ｅから開いているため、履き口部１３よりもつま先側の甲部１２は開放され、中底１５が露出する。その際に、甲部１２はミッドソール１４近傍の僅かな部分のみ残存している。
【００２６】
中底１５には、第１実施形態と同様に、中底１５における母趾と第二趾の間の個所に相当する場所に、中底１５に埋め込む様に突起１６が立設されている。
ユーザーが靴２００を履用する際には、足の母趾側面と突起１６の湾曲部１６Ａ（図６で突起１６の左側側面）が「面」でフィット（面接触）し、突起６と母趾が一点で接触することがないため、ユーザーが母趾の痛みを感じることがない。そして突起６を足の母趾と第二趾との間に介装すると、突起６は外反母趾で変形した母趾を正常な位置側に付勢するので、外反母趾で悩むユーザーが靴２００を履用すると、外反母趾の治療・予防に効果がある。
【００２７】
分離係合手段１７は履き口部１３のつま先側領域の第五趾側部分から甲部１２のミッドソール１４近傍の領域を介して（甲部１２の）母趾に相当する箇所まで延在しているので（分離係合手段１７の始点１７Ａから終点１７Ｂまで延在しているので）、分離係合手段１７を分離すると（開くと）、ミッドソール１４近傍から中底１５が露出し、前記突起１６は周囲に甲部１２が存在しない状態となり、突起１６も露出する。
したがって、ユーザーが靴２００を履く場合、中底１５が露出しているため、手指により容易に足の母趾と第二趾との間に前記突起１６を位置させることが出来て、足の母趾と甲部１２の一部が当接してしまうことはない。同様な理由から、外反母趾に悩むユーザーが靴２００を脱ぐことも容易に出来る。
【００２８】
図７は、分離係合手段１７を分離し（開き）、中底１５が露出した状態で、つま先側に足の指を入れた状態を示している。但し図７では、分離係合手段１７の図示は省略している。
図７の状態、突起１６を挟んで両側に母趾Ｘと第二趾Ｙが位置している状態で、突起１６の湾曲部１６Ａ（図３参照）は凹側が母趾側面に接触し、足の母趾側面と突起１６の湾曲部１６Ａが「面」でフィット（面接触）するので、ユーザーが母趾の痛みを感じることがない。
【００２９】
図７で明示されている様に、甲部１２において、（左足の）母趾の付け根に相当する箇所の裏側には、緩衝材８（パッド）が配置されている。そのため、ユーザーが靴２００を履用する際、母趾の付け根の外側面と緩衝材８が接触する。
図７において、符号８−１は、分離係合手段１７（図示せず）を閉じた場合における緩衝材８の位置（想定位置）が一点鎖線で示されている。
【００３０】
ユーザーが重症の外反母趾を患っている場合には、母趾の付け根が反対の足側に出っ張ってしまう。そして通常の靴では、当該出っ張った部分（母趾の付け根）が後部の裏側に当接して、ユーザーが痛みを覚えてしまうことがある。
それに対して図示の第２実施形態では、母趾の付け根に相当する箇所の裏側には、緩衝材８（パッド）が配置されており、ユーザーが靴２００を履用する際に母趾の付け根の外側面と緩衝材８が接触する様に構成されている。
そのため、重症の外反母趾に悩むユーザーであっても、母趾の付け根が出っ張った部分は緩衝材８と柔らかく接触するので、緩衝材８が設けられていない場合に比較して、遙かに痛みは減少する。
【００３１】
また、母趾の付け根には分離係合手段１７は設けられていないので、緩衝材８を配置した部分が分離係合手段１７で開き、甲部１２が分離してしまうことはない。
そのため、分離係合手段１７を開くことを繰り返しても、緩衝材８（パッド）が甲部１２の裏側（ユーザーの足側）から脱落してしまうことは無く、（緩衝材８は）常に確実にユーザーの母趾の付け根付近に配置されている状態を維持する。
【００３２】
図示の第２実施形態によれば、甲部１２の母趾の付け根に相当する箇所の裏側に緩衝材８（パッド）が配置されるので、重症の外反母趾の場合の様に母趾の付け根が反対の足側に出っ張っていても、当該出っ張った箇所は緩衝材８と柔らかく接触するので痛みは減少する。
また、緩衝材８が脱落してしまう恐れは無い。
図５〜図７の第２実施形態におけるその他の構成及び作用効果は、図１〜図４の第１実施形態と同様である。
【００３３】
次に図８〜図１０を参照して、本発明の第３実施形態を説明する。
外反母趾の症状として母趾Ｘが第二趾Ｙの方向に曲がり、最終的には図８で示すように母趾Ｘが第二趾Ｙの下側に入り込んでしまい、第二趾Ｙが母趾Ｘに乗り上げた状態になってしまう場合がある。
本発明の第３実施形態は、図８で示すように第二趾Ｙが母趾Ｘに乗り上げた状態になった場合に、有効な治療効果を発揮するように構成されている。
【００３４】
第１、第２実施形態では、図３で示すように、突起６の湾曲部６Ａは母趾Ｘ側が凹で第二趾Ｙ側が凸となるに湾曲している。
それに対して第３実施形態では、図９で示すように、突起２６は、母趾Ｘ側に凹となるに湾曲している湾曲部２６Ａ１と、第二趾Ｙ側に凹となるに湾曲している湾曲部２６Ａ２を有している。そして、湾曲部２６Ａ１は母趾Ｘと面接触し、湾曲部２６Ａ２は第二趾Ｙと面接触している。
【００３５】
図８で示す外反母趾（第二趾Ｙが母趾Ｘに乗り上げた状態の外反母趾）のユーザーにおいては、母趾Ｘと第二趾Ｙを図９で示す様に（本来あるべき状態となるように）位置させるべく、第二趾Ｙの下方から母趾Ｘを図９で示す（母趾Ｘの）位置へ移動すると、第二趾Ｙには矢印Ｕで示す方向（図９の上方）へ移動しようとする。換言すれば第二趾Ｙは、その下方に母趾Ｘが存在した状態に戻ろうとする。
しかし、図９で示すように、第二趾Ｙ側が凹となるに湾曲している湾曲部２６Ａ２が第二趾Ｙと面接触しているため、第二趾Ｙが図９の上方（矢印Ｙ方向）へ移動することが抑制させる。その結果、第二趾Ｙは本来あるべき位置（図９における位置）に保持される。その結果、図８で示す様な外反母趾を矯正する効果が発揮される。
図８、図９で示す第２実施形態のその他の構成及び作用効果は、図１〜図８で示す実施形態と同様である。
【００３６】
図１０は図９で示す突起２６の変形例（第３実施形態の変形例）を示している。
図８で示す様な外反母趾の場合には、母趾Ｘが図９で示す位置に移動或いは強制されたとしても、母趾Ｘは図９の上方には移動しない。そのため、図１０で示す変形例では、突起２６−１において、図９における湾曲部２６Ａ１に相当する部分が省略されている。
図１０の変形例におけるその他の構成及び作用効果は、図８、図９で示す第２実施形態と同様である。
【００３７】
上述した実施形態はあくまでも例示であり、本発明の技術的範囲を限定する趣旨の記述ではないことを付記する。
【符号の説明】
【００３８】
１、１１・・・底部
２、１２・・・甲部
３、１３・・・履き口部
４、１４・・・ミッドソール
５、１５・・・中底
６、１６、２６、２６−１・・・突起
７、１７・・・分離係合手段
７Ｂ−Ｅ、１７Ｂ−Ｅ・・・分離係合手段の延長部
８・・・緩衝材（パッド）
１００、２００・・・靴
【図１】
2017029331.tif 000003
【図２】
2017029331.tif 000004
【図３】
2017029331.tif 000005
【図４】
2017029331.tif 000006
【図５】
2017029331.tif 000007
【図６】
2017029331.tif 000008
【図７】
2017029331.tif 000009
【図８】
2017029331.tif 000010
【図９】
2017029331.tif 000011
【図１０】
2017029331.tif 000012